(57)【要約】  本発明は、特に少なくとも１つの携帯端末を認証するＳＩＭカード（２１）またはチップカード（２０）に関し、ＳＩＭカード（２１）は、少なくとも１つのプロセッサ（１）と、ＳＩＭカード（２１）を携帯端末に接続する接点領域（２２）とを含み、ＳＩＭカード（２１）は、アンテナ（１５、２３）を含み、またはアンテナ（１５、２３）に接続する接点領域（１４、２４）をさらに含み、ＳＩＭカード（２１）は近距離無線接続を確立して維持する無線インタフェース（２００）を含む。
2011521317.tif 000002
【特許請求の範囲】
【請求項１】
特に少なくとも１つの携帯無線端末装置の認証用のＳＩＭカード（２１）またはチップカード（２０）であって、前記ＳＩＭカード（２１）には、少なくとも１つのプロセッサ（１）と、前記ＳＩＭカード（２１）を携帯無線端末装置に接続する接点（２２）とが設けられており、前記ＳＩＭカード（２１）にはアンテナ（１５、２３）が設けられ、あるいは前記ＳＩＭカード（２１）はアンテナ（１５）との接続用の追加接点（１４）を有し、前記ＳＩＭカード（２１）は近距離無線接続を確立して維持する無線インタフェース（２００）を有し、前記ＳＩＭカード（２１）の前記無線インタフェース（２００）および前記プロセッサ（１、１００）は電子部品に一体化されていることを特徴とするＳＩＭカード（２１）。
【請求項２】
前記アンテナ（２３）は平坦であり、前記ＳＩＭカード（２１）の下側に装着されていることを特徴とする、請求項１に記載のＳＩＭカード（２１）。
【請求項３】
無線インタフェース（２００）は、前記ＳＩＭカード（２１）に一体化された信号プロセッサ（１２）によって形成されていることを特徴とする、請求項１または２に記載のＳＩＭカード（２１）。
【請求項４】
前記無線インタフェース（２００）には、アナログ／デジタル変換器およびデジタル／アナログ変換器が設けられていることを特徴とする、請求項１〜３のいずれか一項に記載のＳＩＭカード（２１）。
【請求項５】
前記無線インタフェース（２００）には、デジタルフィルタが設けられていることを特徴とする、請求項１〜４のいずれか一項に記載のＳＩＭカード（２１）。
【請求項６】
前記無線インタフェース（２００）には、入力および／または出力増幅器が設けられていることを特徴とする、請求項１〜５のいずれか一項に記載のＳＩＭカード（２１）。
【請求項７】
前記信号プロセッサは、独自のプログラムおよびデータメモリ（１６）を有することを特徴とする、請求項１〜６のいずれか一項に記載のＳＩＭカード（２１）。
【請求項８】
前記信号プロセッサは、前記ＳＩＭプロセッサおよびそのメモリ装置から独立して独自の記憶トランザクション、計算処理およびプログラミング工程を実行することができることを特徴とする、請求項１〜７のいずれか一項に記載のＳＩＭカード（２１）。
【請求項９】
前記ＳＩＭプロセッサを用いて、前記携帯無線端末装置に接続されたインタフェースおよび／または前記携帯無線ネットワークを介し、サーバユニット、パソコンまたはネットワークに対して、前記信号プロセッサの前記プログラムメモリおよび／またはデータメモリ（１６）を変更、ロードまたは引き続きロードすることができることを特徴とする、請求項１〜８のいずれか一項に記載のＳＩＭカード（２１）。
【請求項１０】
ＰＲＬワイヤレス・インタフェースを介して、前記信号プロセッサの前記プログラムメモリおよび／またはデータメモリ（１６）を変更、ロードまたは引き続きリロードすることができることを特徴とする、請求項１〜９のいずれか一項に記載のＳＩＭカード（２１）。
【請求項１１】
携帯無線端末装置のＳＩＭカード（２１）が、１つ以上の読取装置と、近距離通信にて、前記ＳＩＭカード（２１）に一体化された無線インタフェース（２００）によって、無線通信しており、１つ以上の前記携帯無線端末装置を認証するのに役立つことを特徴とする認証方法。
【発明の詳細な説明】
【技術分野】
【０００１】
本発明は、とりわけ、少なくとも１つの携帯端末の認証用のＳＩＭカードまたはチップカードに関し、ＳＩＭカードには、少なくとも１つのプロセッサと、ＳＩＭカードを携帯端末に接続する接点とが設けられている。
【背景技術】
【０００２】
ＳＩＭ（加入者識別モジュール）カードは、携帯電話などの携帯端末に設置され、携帯無線通信ネットワークにおいて利用者を識別するのに役立つ、即ち携帯端末の認証に役立つチップカードである。通常、ＳＩＭカードは、メモリ付きのプロセッサを有する。ＳＩＭカードは、携帯端末、即ち特に携帯電話を、利用者に対応付け、この利用者を認証する。このために、対応する識別、番号およびアルゴリズムをＳＩＭカードに記憶する。
【０００３】
ＳＩＭカードが配置または設置された携帯端末から、ＳＩＭカードにエネルギーを供給する。
【０００４】
さらに、チップカードを用いた各種支払方法が知られている。現在、チップカードは、とりわけ、非現金支払のために使用されている。これらのチップカードは、店舗販売時点（ＰＯＳ）で適当な読取装置によって読み取られる電子接点の有無だけでなく磁気帯の有無にかかわらず組み込み電子回路を有する、クレジットカード形式（通常、８５×５５ｍｍ）のプラスチックカードである。
【０００５】
その上、加入者の認証、例えば加入者電話番号等を記憶するためにさらに使用されるチップカードは、無線通信端末でＳＩＭ（加入者識別モジュール）として使用される。一般に、これらのカードは、クレジットカード形式で供給され、寸法が２５×１５ｍｍの予めエンボス加工されたより小さいチップカードを有し、所定の破断点によって完全な形式のカードから容易に破壊することができ、小さい携帯端末で使用することができる。その上、ユニバーサル・シリアル・バス（ＵＳＢ）、ファイアワイヤまたはＰＣカードによってオプションとして接続されることができ、従って可能な携帯無線端末としてパソコンを使用するだけでなくＳＩＭメモリの読み書きも可能なパソコン（ＰＣ）用ＳＩＭアダプタがある。
【０００６】
無線通信ネットワークに接続された携帯端末を用いた種々の支払方法が、携帯支払として記載されている。ＳＩＭカードまたは一般にチップカード（ストアド・バリュー・カード）は、プリペイド式カードの役割を果たし、例えば専門設備を備えた自動機械（例えば、切符販売機）で可能な支払いをするプリペイド式マネーの合計を管理する変形例もある。
【０００７】
携帯無線端末（携帯電話）と例えば自動機械との間の通信リンクを有する以前の支払解決策では、例えば、ブルートゥース（Bluetooth）、ＲＦＩＴ−ＮＦＣ（ECMA 340に準拠する近距離通信またはISO/IEC 18092に準拠するＮＦＣＩＰ１近距離通信インタフェースとプロトコル）、ワイヤレス・イーサネット（登録商標）（ＷｉＦｉ）またはワイヤレス・ローカルエリアネットワーク（ＷＬＡＮ）等の送受信機を有する特別設計の携帯電話が必要である。
【０００８】
例えば、Bluetooth、ＷｉＦｉおよびＷＬＡＮの現在の標準化では、２つの装置間の安全な接続を確立するための機器構成の努力がかなり必要であり、一般に、例えば電子式金銭登録機システムと携帯無線通信端末との間のＰＯＳでの自動接続に必要とされる悪用に対して必要な保護策を講じない。一方、そのようなインタフェースは、現在最も高価なマルチメディア端末に主に設置されており、ハンズフリー機器を接続するためにだけでなく、音声映像データの伝送のためにも使用される。
【０００９】
利用できる端末にそのようなインタフェースを後付けすることができないことが特に欠点である。
【００１０】
ＲＦＩＴは、読取装置とラベルとの間の接続に提供され、データを読み取るのに役立つ。これに基づいて、異なる装置間の安全な通信は提供されない。一方、提案の近距離無線システムＮＦＣは、可能な装置間の通信、特に支払処理を行うことになっており、ＲＦＩＴ規格の無線通信に基づいているけれども、異なる装置間の安全な接続を確立するための異なる伝送プロトコルおよび方法を使用している。
【００１１】
ＮＦＣ方法は、最大２０ｃｍの装置間距離で１３．５６ＭＨＺの範囲で動作し、最大４２４Ｋｂｉｔ／ｓで、即ち最高１Ｍｂｉｔ／ｓｅｃまで規格（ISO/IEC 18092、ECMA 340、ETSI TS 102190）の拡張に従って伝送する。
【００１２】
ＮＦＣの手続き方法の欠点は、特別な最終利用者装置を必要とすることである。この方法を適用するために、特別に搭載された、または後付けされた端末を必要とする。
【発明の概要】
【発明が解決しようとする課題】
【００１３】
本発明の目的は、特に支払処理の実行のために、できるだけ簡単かつ経済的に近距離用に最適化された送受信機を異なる携帯無線端末に搭載できるシステムを提供することにある。
【課題を解決するための手段】
【００１４】
この課題は、請求項１によるＳＩＭカードおよび請求項１１による方法によって本発明に従って解決される。さらに、本発明の有利な実施形態を従属請求項に示す。
【００１５】
特に少なくとも１つの携帯端末の認証用の、本発明によるＳＩＭカードまたはチップカードにおいて特に有利であり、ＳＩＭカードには、少なくとも１つのプロセッサと、ＳＩＭカードを携帯無線端末に接続する接点とが設けられており、ＳＩＭカードは、アンテナ、またはアンテナとの接続用の追加接点を有し、ＳＩＭカードには、近距離無線接続を確立して維持する無線インタフェースが設けられている。
【００１６】
従って、本発明によれば、ＳＩＭカードに、無線伝送用のアンテナだけでなく送受信機を、または無線伝送用のアンテナとの接続用の接点位置を用いて搭載する。その結果、携帯無線ネットワークから独立して追加サービスを利用するために、携帯無線ネットワークを使用することなく、ＳＩＭカードによって、近距離無線通信接続を確立して維持することができる。例えば、この種の近距離無線通信接続を用いて、支払処理を行うことができる。
【００１７】
好ましくは、アンテナは、平坦であり、ＳＩＭカードの下側に装着されている。この配置の結果、有利な方法で、ＳＩＭカードの幾何学的な一般条件を変更する必要なしに、無線接続を確立して維持するＳＩＭカードにアンテナを一体化することができ、即ち、本発明によるＳＩＭカードは、標準形式に対応できる。
【００１８】
好ましい実施形態では、無線インタフェースは、ＳＩＭカードに一体化された信号プロセッサによって設置されている。
【００１９】
好ましくは、無線インタフェースには、アナログ／デジタル変換器およびデジタル／アナログ変換器が設けられている。
【００２０】
好ましい実施形態では、無線インタフェースには、デジタルフィルタが設けられている。
【００２１】
好ましくは、無線インタフェースは、入力および／または出力増幅器を有する。
【００２２】
アナログ／デジタル変換器およびデジタル／アナログ変換器および／またはデジタルフィルタおよび／または入力および／または出力増幅器が設けられている場合、適当な遠隔場所との無線接続を確立して維持するために、本発明による無線インタフェースを各種要件に適合させることができる。
【００２３】
特に好ましい実施形態では、ＳＩＭカードの無線インタフェースおよびプロセッサは電子部品に一体化されており、即ち、本発明に従って設けられたＳＩＭカードの無線インタフェースだけでなく、既知のＳＩＭカードのプロセッサも、カードの単一の一体型チップに一体化することができる。
【００２４】
本発明による認証方法では、携帯無線端末のＳＩＭカードは、１つ以上の読取装置と無線接続しており、ＳＩＭカードに一体化された近距離通信装置の無線インタフェースによって１つ以上の携帯無線装置を認証するのに役立つことが、特に有利である。
【００２５】
チップカードへの一体化に基づいて、本発明による解決策は、ＰＯＳで近距離用に最適化されたアンテナを含む無線インタフェースを形成する送受信ユニット、好ましくはＳＩＭであり、携帯端末に、例えばＵＭＴＳネットワークまたはセル方式ＧＳＭ用のＭＳに後付けできるモジュールとして利用できるようにすることであり、その結果、対応するハードウェアを搭載した特定の端末の購入が不要になる。
【００２６】
以下の文では、支払無線リンク（ＰＲＬ）という用語は、ほんの一例として携帯端末とＰＯＳとの間のワイヤレス伝送方法を意味する。従って、ＰＲＬは、２つの装置間の安全な接続を確立する（取り決める）ための論理的必要条件、必要なデータ伝送の安全な実行および接続の決定論的切断用の対応する伝送プロトコルだけでなく、デシメートルまたはメートルの距離（アプリケーションに特有）にある、一般に近距離に対してデータ（オプションとして言語）のワイヤレス伝送用の技術的設備（送受信増幅器、変調器、復調器、アナログ／デジタル変換器およびその逆、必要ならばエコー補償方法、中間記憶装置、アンテナ等）を含む。
【００２７】
この意味で、ＰＲＬは、ＮＦＣ伝送方法に準拠しているが、しかし前述の機能の任意の他の方法に準拠することもできる。本発明では、伝送処理自体を取り扱わないが、技術、例えばＰＯＳにおける新しい非現金支払処理のためにできるだけ経済的な方法によってできるだけ多くの利用可能な新しい端末が新しくて革新的なサービスに参加できるように、技術的機能性および無線通信端末への一体化について記載する。
【００２８】
確かに、例えばＰＲＬ機能も有する新しい方法を、電子部品およびソフトウェアプログラムを追加することによって新しい携帯電話に一体化することができる。しかし、本発明によれば、顧客はそのような機能を既存の携帯電話に後付けでき、または無線通信プロバイダは新しい設計作業なしでこの技術を種々の最終利用者装置に搭載できると仮定している。
【００２９】
その場合、各端末で最も広く使用されているセル方式ＧＳＭおよびＵＭＴＳ無線通信ネットワークによってそのようなモジュールを使用し、容易に変更できるので、ＳＩＭを一体化用の場所として提案する。
【００３０】
アンテナをＳＩＭに一体化する場合、距離の短縮および端末自体（ＳＩＭは一般に携帯電話内に設置される）の遮蔽効果を予期しなければならず、このアプリケーションに対して必要な近い無線距離で少しも役割を果たさない。しかし、本発明は、ＳＩＭの外側にアンテナを装着する可能性を生み出すことによって、より遠い距離を必要とするアプリケーションの余地を残す。近づき難く設置された自動機械は、例えばこのことから利益を得ることができる。外部から装着されたアンテナとの接続のために、対応する接点を設ける。
【００３１】
本発明の実施形態の例を、以下のように図示して説明する。
【図面の簡単な説明】
【００３２】
【図１】先行技術によるＳＩＭカードの略図である。
【図２】本発明によるＳＩＭカードの略図である。
【図３】一体型送受信機付きチップカードの図である。
【図４ａ】先行技術によるＳＩＭカードの断面図である。
【図４ｂ】本発明による一体型アンテナ付きのＳＩＭカードの断面図である。
【発明を実施するための形態】
【００３３】
同一の部品またはモジュールには、図面で同一の参照番号を付け、以後それに応じて部品構成要素またはモジュールを使用する。
【００３４】
従来のＳＩＭを、図１に概略的に示す。ＳＩＭは、完全なマイクロプロセッサ回路１００、即ちＲＡＭメモリ２付きのマイクロプロセッサ１を有し、インテリジェント追加サービス用に設計可能である。従って、例えば電話番号をメモリ２に記憶することができる。新しいＳＩＭカードには、例えば音声または映像データ用の大きいメモリ２も設ける。種々の機能ブロックを、一般に、単一の電子部品（チップ）に設ける。
【００３５】
さらに、ＳＩＭのオペレーティングシステムを読み出し専用メモリ３（ＲＯＭ）に記憶し、アプリケーションデータをＥＥＰＲＯＭ４に記憶する。ＳＩＭカードは、プログラムによる電圧６（Ｖｐｐ）、クロック信号７（ＣＬＫ）、電圧源８（Ｖｃｃ）、リセット９（ＲＳＴ、ｒｅｓｅｔ）、入出力１０（Ｉ／Ｏ）および接地１１（ＧＮＤ）用の各種接点だけでなく、アクセス保護用のセキュリティ装置５も有する。
【００３６】
従って、図１は、従来のＳＩＭカードを概略的に示す。
【００３７】
本発明によれば、ＰＲＬ機能を用いてＳＩＭを拡張する。これを、図２に概略的に示す。図２は、無線インタフェース２００によって本発明に従って拡張された、図１の従来のチップカードアーキテクチャ１００を含む、本発明によるＳＩＭカードを示す。無線インタフェース２００は、信号プロセッサ１２（ＳＰ）、特異的関連プログラムおよびデータメモリ１６（ＥＥＰＲＯＭ）、回線ドライバ（送受信増幅器）１３（ＬＴ）、およびアンテナ１５との接点１４（Ａ１、Ａ２）を有する。
【００３８】
例えば端末とのインタフェースとしてのＳＩＭ接続割り当ては、物理的に変わらないままであるので、既存の端末で使用可能である。必要なアナログ増幅器およびフィルタ機能、アナログ／デジタル変換、逆にデジタル／アナログ変換、モデム機能、入力および出力増幅だけでなく無線インタフェースプロトコル工程をＳＩＭのマイクロプロセッサと一緒に動作することによって処理し、例えばエコー補償工程によって送受信信号を分離する、ＳＩＭプロセッサの下流の追加信号プロセッサ機能で、または好ましくはＳＩＭチップの一体化拡張として、ＳＩＭを補う。
【００３９】
信号プロセッサ１２は、特定のインタフェース１７によって接続された独自のプログラムおよびデータ記憶装置１６を有し、例えば送受信タスク、変調および復調符号化工程、誤差補償等、ＰＲＬ機能の緊急を要する処理工程からＳＩＭプロセッサ１００を軽減する。これらの機能を、ＳＩＭプロセッサによって起動して制御し、信号プロセッサ２００で自律的に処理することができる。
【００４０】
利用できる新しいＰＲＬ機能だけでなく、潜在的なプログラミングの誤りを訂正し、プログラムの最適化を行うために、サーバによって無線通信ネットワークを介してＳＩＭプロセッサの支援を受けて本発明に従って、信号プロセッサのプログラムメモリをロードすることができる。
【００４１】
アンテナ１５をＳＩＭモジュール上に設置することも好ましい。有利な変形例では、信号プロセッサおよびドライバ回路を含む完全な回路をＳＩＭ上の単一の部品（チップ）に一体化する。
【００４２】
機能Ａ１およびＡ２によって拡張された接点配列によってＳＩＭに接続される場合、オプションとしてアンテナ１５を装置に予め設けることができる。この変形例では、オプションとして送受信増幅器１３を最適な高周波伝送のために端末装置に設置することができる。そのような工程は、新しい最終利用者装置（またはオプションとしてＳＩＭアダプタ）を必要とし、例えばパソコン制御の電子式金銭登録機に接続されたＳＩＭを使用する場合、数台の金銭登録機の範囲を含むべきである場合に意味をなす。この場合、ＳＩＭは、例えば今度は電子式金銭登録機領域内の露出位置に設置され、例えばイーサネット（登録商標）またはＵＳＢ接続によって金銭登録機パソコンに接続されたＳＩＭアダプタに追加のアンテナを含むことができる。
【００４３】
好都合なことに、ＳＩＭアンテナ１５または２３を、図４ｂに示すようにＳＩＭの下側（接点側）に圧力でまたはガルバニック的に（galvanically）取り付けることができる。この手続き方法では、電子部品は、従来の接続の範囲を超えて、２つの追加の接触面（Ａ１およびＡ２）を有する。
【００４４】
ＳＩＭ接触面（下側）上のＳＩＭアンテナの配置は、特に有利であり、特にただ１つの作業工程で接触面およびアンテナの同時製造を可能にする。
【００４５】
印刷回路接点に十分な材料強度または機械的安定性がある場合、チップ支持体２６によるガルバニック貫通接触を省くことができる。この場合、ワイヤ接点２５を、チップ支持体の対応する切り欠きでＳＩＭアンテナおよびＳＩＭ接触面に直接接続（接合）する。
【００４６】
図３は、例えば端末内の接点バネ用の６つの接点２２を有する、例えばチップカード２０（従来のクレジットカード形式）の切り欠きのように示されるＳＩＭ２１の接点側上のアンテナ２３の配置を示す。アンテナ接続の場合、接点バネ２２によって端末に接続されない追加接点２４を使用する。
【００４７】
図４は、ＳＩＭの好ましい機械設計を概略的に示す。アンテナ２３の接続のために使用される接点領域２２のゾーンは、ＳＩＭ固定装置のバネ接点のために使用されず、本発明に従ってチップ支持体２６によってアンテナ接続を実施するのに役立ち、ＳＩＭ接点領域２２の貫通接点と同じ作業工程で共同製造される。図４ａによる従来のＳＩＭと違って、図４ｂによる変形例ｂは、特別に拡大されたチップ支持体２６への接点と一緒にガルバニック的に取り付けられたアンテナ２３を持ち続けることが好ましい。通常、実際のチップをはんだ付け、接着または接合技術（ワイヤボンディング技法を示す）によって貼る。図３によれば、外接触面２４を、例えばアンテナ接触のために使用できる。
【００４８】
図４は、ＳＩＭチップへのボンディングワイヤによるチップ支持体２６を介した２つの接点領域２２の接続を図４ａ（上）の側面図で概略的に示す。図４ｂ（下）では、接点領域２２（左側）の例だけでなく、接点側に取り付けられたアンテナ２３（右側）の接続を側面図で示す。チップおよび配線２５を、下側に接点２２およびアンテナ２３を設けたカードハウジング２１に一体化する。
【００４９】
また、本発明によるこの方法では、可能なＰＲＬ機能をＰＯＳに経済的かつ簡単に後付けする。このために、ＵＳＢ、ファイアワイヤ、ＰＣカードまたは同様な手順で従来のＳＩＭアダプタを使用することによって、ＰＣ、プロセッサ制御の電子式金銭登録機、または自動機械にＳＩＭを接続したり、使用できる商用ＳＩＭアダプタ、ＰＣ（電子式金銭登録機または自動機械）の対応するソケットにＳＩＭを設置したりする。
【００５０】
従って、本発明によれば、無線伝送用のアンテナだけでなく送受信機をチップカードに搭載する。その結果、利用者が起動した後に完全自動化された店舗販売場所と携帯無線端末との間の安全な接続を確立し、対応する伝送プロトコルを安全に実行し、その後現在の接続を確定的に終了するために、一般に近距離にわたって、好ましくはデシメートルまたはメートルの距離で、データ（オプションとして言語）のワイヤレス伝送に必要とされる、例えば信号プロセッサ、プロトコル制御装置（プログラム制御のマイクロプロセッサ）、アナログ増幅器要素、デジタル／アナログおよびアナログ／デジタル変換器等の、アンテナとすべての回路とプログラム制御の部品とを、処理非現金支払サービスのために、チップカード、例えば携帯無線ネットワーク加入者識別モジュール（ＳＩＭ）に搭載する。ＳＩＭは、例えば上に印刷され、またはＳＩＭ内にガルバニック的に製造され、またはオプションとして少なくとも１つの外面上に印刷された形態で、アンテナだけでなく必要な電子部品も単一の電子回路（チップ）に含むことが好ましい。
【００５１】
ＰＯＳ無線接続（支払無線リンク：ＰＲＬ）のこの機能は、ハードウェア工程を追加することなく、従来のＳＩＭを本発明によるＳＩＭと交換するだけで、端末装置で利用できる。その際、拡張したＳＩＭを制御するため、支払サービス（メニュー制御）の装置内部処理のため、および携帯無線ネットワーク内の金融サービス装置、あるいは携帯無線ネットワークにつながった端末装置の金融サービス装置（例えば、サーバユニット）とのオプション的に付加された接続通信のための、付加的に必要なオペレーティングソフトウェアが、例えば端末装置プログラムメモリの交換によって、または特定のサーバユニットからのダウンロードによって、付加的に取り込まれ得る。この機能は、ＰＲＬ無線インタフェースの無線通信変更に柔軟に適応するＰＲＬ信号プロセッサとのプログラム交換も含む。
【００５２】
ＰＲＬ用のＳＩＭアンテナを、接点（図４）と同じ作業工程でＳＩＭの接点側上に、好ましくは（例えばガルバニック的に）一緒に製造して、この場合拡大されたチップ支持体上に設置することができ、アンテナとＳＩＭチップとの接続を、ＳＩＭチップ接点と同じ方法でワイヤボンディング、接着またははんだ付けによって確立し、ＳＩＭの接点側上のアンテナの接続を、ＳＩＭ接続接点の場合と同様にチップ支持体によって実行し、チップ接点の貫通接点と同じ処理工程でこの製造工程によって行われることもある。この手続き方法の目的は、追加アンテナをＳＩＭモジュールに取り付けるための製造工程のコスト最適化である。
【００５３】
ＰＲＬチップカードを数回使用することができ、プロセッサ制御のＰＯＳ、例えば電子式金銭登録機装置、ＰＯＳ中央処理装置または自動機械等への、例えばＵＳＢ、ファイアワイヤ・イーサネット（登録商標）またはＰＣカードのインタフェースを用いて、例えばプラグまたはＳＩＭアダプタによってＰＲＬチップカードを接続することができ、それによって、ＰＲＬチップカードに関連した追加ソフトウェアはＰＲＬチップカードの制御を引き継ぐ。このアプリケーションでは、携帯無線操作なしで純粋なＰＲＬ機能を一層活用することもできるようにＰＲＬチップカードの処理制御を整理する。このため、モジュールは、普遍的に使用できる。通常携帯無線セクタにある認証および暗号化手順は、そのようなアプリケーションで使用されず、装置接続を介してＳＩＭと通信される制御コマンドによって切られる。
【００５４】
オプションとして、ＰＲＬチップカードの外側に装着されたアンテナを、（端末または、例えばＰＣアダプタにおいて）モジュールのアンテナ接続接点の接触によって動作させることができ、その結果、モジュールの距離および伝送品質を改善できるので、この種の動作において、今度はオプションとして、最終利用者装置内のＰＲＬチップカードの外面上、または例えばアダプタ上に送受信増幅器を装着する。この場合、領域Ａ１およびＡ２用の追加接点を有する拡張ＳＩＭソケットを必要とする。手続き方法は、固定ＰＯＳ動作および例えば特別な最終利用者装置（パソコン、ノートパソコン、および例えばより長い電波距離を必要とする障害者用の特別な最終利用者装置）に適している。
【００５５】
アンテナとＳＩＭカードを、プラスチック支持体に、またはプラスチックカード、チップカード等に一体化することもできる。
【００５６】
本発明の意義の範囲内で、ＳＩＭカードという用語は、ＳＩＭまたはＵＳＩＭ等の任意の加入者識別モジュールをカバーし、特に例えば装置との接続用の接点およびプロセッサが設けられたチェックカード等に一体化されたチップカード等、任意の他の形態のチップカードもカバーするものとする。アンテナ接点またはアンテナだけでなく本発明による無線インタフェースを、この種のチップカードにも一体化することができる。
【図１】
2011521317.tif 000003
【図２】
2011521317.tif 000004
【図３】
2011521317.tif 000005
【図４ａ】
2011521317.tif 000006
【図４ｂ】
2011521317.tif 000007
【国際調査報告】
2011521317.tif 000008
2011521317.tif 000009
2011521317.tif 000010
2011521317.tif 000011